(57)【要約】【課題】フリッカー及び表示劣化の発生を抑制する。【解決手段】画像データの１フレーム期間を複数のサブフレーム期間に分割し、前記複数のサブフレーム期間の各々における画素の点灯／非点灯を規定するデジタルコードを生成するデジタルコード生成手段と、前記画素の画素電極に、前記デジタルコードに応じたデータ電圧を供給するデータ電圧供給手段と、前記画素の共通電極に、コモン電圧を供給するコモン電圧供給手段とを備え、前記デジタルコード生成手段は、前記複数のサブフレーム期間の中の前記１フレーム期間の最初のサブフレーム期間または前記１フレーム期間の最後のサブフレーム期間を含む連続したサブフレーム期間に点灯または非点灯のいずれか一方が集中するように前記デジタルコードを生成し、前記コモン電圧供給手段は、前記１フレーム期間において、前記コモン電圧の反転動作を奇数回行う。【選択図】図１
2010231005.tif 000002
【特許請求の範囲】
【請求項１】
画像データを表示する電気光学装置において、
前記画像データの１フレーム期間を複数のサブフレーム期間に分割し、前記複数のサブフレーム期間の各々における画素の点灯／非点灯を規定するデジタルコードを生成するデジタルコード生成手段と、
前記画素の画素電極に、前記デジタルコードに応じたデータ電圧を供給するデータ電圧供給手段と、
前記画素の共通電極に、コモン電圧を供給するコモン電圧供給手段と、
を備え、
前記デジタルコード生成手段は、前記複数のサブフレーム期間の中の前記１フレーム期間の最初のサブフレーム期間または前記１フレーム期間の最後のサブフレーム期間を含む連続したサブフレーム期間に点灯または非点灯のいずれか一方が集中するように前記デジタルコードを生成し、
前記コモン電圧供給手段は、前記１フレーム期間において、前記コモン電圧の反転動作を奇数回行う、
ことを特徴とする電気光学装置。
【請求項２】
前記コモン電圧供給手段は、前記１フレーム期間において前記コモン電圧の反転動作を３回行うことを特徴とする請求項１記載の電気光学装置。
【請求項３】
請求項１または２に記載の電気光学装置を備えることを特徴とする電子機器。
【請求項４】
画像データを表示する電気光学装置の駆動方法において、
前記画像データの１フレーム期間を複数のサブフレーム期間に分割し、前記複数のサブフレーム期間の各々における画素の点灯／非点灯を規定するデジタルコードを生成する第１の工程と、
前記画素の画素電極に、前記デジタルコードに応じたデータ電圧を供給する第２の工程と、
前記画素の共通電極に、コモン電圧を供給する第３の工程と、
を有し、
前記第１の工程は、前記複数のサブフレーム期間の中の前記１フレーム期間の最初のサブフレーム期間または前記１フレーム期間の最後のサブフレーム期間を含む連続したサブフレーム期間に点灯または非点灯のいずれか一方が集中するように前記デジタルコードを生成し、
前記第３の工程では、前記１フレーム期間において、前記コモン電圧の反転動作を奇数回行う、
ことを特徴とする電気光学装置の駆動方法。
【発明の詳細な説明】
【技術分野】
【０００１】
本発明に係るいくつかの態様は、電気光学装置及びその駆動方法並びに電子機器等に関する。
【背景技術】
【０００２】
電気光学装置の一形態である液晶装置では、液晶素子の劣化（焼き付き）を防止するために、コモン電極（共通電極）に対して正極性及び負極性の電圧を交互に印加する（交流駆動する）必要がある。このような交流駆動の方式として、コモン線（共通電位線）の電圧を振るコモン反転駆動が知られている（下記特許文献１及び２参照）。一般的なコモン反転駆動では、１フレーム期間（１／６０秒）に１回の割合でコモン反転動作を行う。つまり、コモン電極に対して正極性の電圧を印加している期間を＋フィールド、負極性の電圧を印加している期間を−フィールドとすると、これら＋フィールド及び−フィールドはそれぞれ２フレーム周期（１／３０秒周期）で現れることになる。
【０００３】
ここで、＋フィールドと−フィールドとの切り替えタイミング、つまりコモン反転タイミングにおいて、画素トランジスタのフィードスルー現象（画素容量に蓄積された電荷が画素トランジスタのゲート・ドレイン間の寄生容量を介して放電される現象）が発生するため、＋フィールドと−フィールドとで輝度差が生じる。この輝度差は１／３０秒周期（３０Ｈｚ）で現れるため、ユーザの目にはその輝度差がフリッカーとして視認されることになる。下記特許文献２の技術では、液晶パネルの特性に合わせてコモン電圧を調整して、＋フィールドと−フィールドとの輝度差を無くすことでフリッカーの発生を抑制している。
【先行技術文献】
【特許文献】
【０００４】
【特許文献１】特開２００５−２４１７４１号公報
【特許文献２】特開２００３−３４４８２５号公報
【発明の概要】
【発明が解決しようとする課題】
【０００５】
近年では、１フレーム期間に複数回コモン反転動作を行い、＋フィールドと−フィールドとの輝度差の発生周期を１／６０秒周期（６０Ｈｚ）以上とすることにより、ユーザの目にフリッカーが視認されることを防止する技術が提案されている。ところが、この技術によると、階調表現方式としてデジタル時分割駆動を採用した場合に表示劣化（焼き付き）が発生するという不具合があることが判明している。
【０００６】
周知のように、デジタル時分割駆動とは、１フレーム期間を複数のサブフレームに分割し、各サブフレーム期間においてデジタル信号（点灯／非点灯に対応した２値電圧）を各画素に書き込み、それら各サブフレーム期間における２値表示の時間積分により中間的な階調表現を行う方式である。このデジタル時分割駆動では、各サブフレーム期間における画素の点灯／非点灯を規定するデジタルコードの配列手法の１つとして、ノーマリーホワイトの液晶素子の場合には、黒表示（非点灯）を規定するコード（例えば「１」）を左寄せで配列する（言い換えれば、最初のサブフレームを含む所定範囲のサブフレーム群に黒表示が集中するようにデジタルコードの配列を決定する）手法がある。このような配列のデジタルコードは左寄せコードと呼ばれており、黒色がまとまった期間に挿入されるため、動画表示に適したデジタルコードとして利用されている。
【０００７】
ここで、例えば１フレーム期間に２回コモン反転動作を行う（つまり、１フレーム期間に＋フィールドと−フィールドとが１回ずつ現れる）場合を考える。この場合、デジタルコードとして上記の左寄せコードを採用すると、＋フィールドまたは−フィールドの一方に黒表示（非点灯電圧の書き込み）が偏ることになり、液晶素子の交流駆動が行えない為に、表示劣化（焼き付き）が発生しやすくなる。
【０００８】
本発明に係るいくつかの態様は、上述した事情に鑑みてなされたものであり、フリッカー及び表示劣化の発生を抑制することの可能な電気光学装置及びその駆動方法並びに電子機器を提供することを目的とする。
【課題を解決するための手段】
【０００９】
上記目的を達成するために、本発明に係る電気光学装置は、画像データを表示する電気光学装置において、前記画像データの１フレーム期間を複数のサブフレーム期間に分割し、前記複数のサブフレーム期間の各々における画素の点灯／非点灯を規定するデジタルコードを生成するデジタルコード生成手段と、前記画素の画素電極に、前記デジタルコードに応じたデータ電圧を供給するデータ電圧供給手段と、前記画素の共通電極に、コモン電圧を供給するコモン電圧供給手段とを備え、前記デジタルコード生成手段は、前記複数のサブフレーム期間の中の前記１フレーム期間の最初のサブフレーム期間または前記１フレーム期間の最後のサブフレーム期間を含む連続したサブフレーム期間に点灯または非点灯のいずれか一方が集中するように前記デジタルコードを生成し、前記コモン電圧供給手段は、前記１フレーム期間において、前記コモン電圧の反転動作を奇数回行うことを特徴とする。
このような特徴を有する電気光学装置によると、１フレーム期間において、共通電極電圧（コモン電圧）に対して画素電極電圧（データ電圧）が正極性の期間（＋フィールド）と、共通電極電圧に対して画素電極電圧が負極性の期間（−フィールド）とが交互に現れるため、一方のフィールドに点灯または非点灯の表示（例えばノーマリーホワイトモードであれば黒表示）が偏るということはなくなる。つまり、本発明に係る電気光学装置では、交流駆動が十分に行われており、表示劣化（焼き付き）の発生を抑制することができると共に、奇数回以上コモン反転動作を行うため、フリッカーの発生も抑制することができる。
【００１０】
また、上述した電気光学装置において、前記コモン電圧供給手段は、前記１フレーム期間において前記コモン電圧の反転動作を３回行うことが好ましい。
１フレーム期間においてコモン電圧の反転動作を５回以上行うことも可能であるが、その場合、コモン電圧（共通電極電圧）を高周波数で反転させることになるため、表示品質上、別の不具合が発生する虞がある。フリッカーの発生を抑制し、且つ表示劣化（焼き付き）の発生を抑制するという目的に対しては、１フレーム期間におけるコモン電圧の反転動作を３回とすることで十分に達成できる。
【００１１】
一方、本発明に係る電子機器は、上述した電気光学装置を備えることを特徴とする。
このような特徴を有する電子機器によれば、フリッカー及び表示劣化（焼き付き）が抑制されて表示品質の高い電気光学装置を備えているため高性能化を実現できる。
【００１２】
さらに、本発明に係る電気光学装置の駆動方法は、画像データを表示する電気光学装置の駆動方法において、前記画像データの１フレーム期間を複数のサブフレーム期間に分割し、前記複数のサブフレーム期間の各々における画素の点灯／非点灯を規定するデジタルコードを生成する第１の工程と、前記画素の画素電極に、前記デジタルコードに応じたデータ電圧を供給する第２の工程と、前記画素の共通電極に、コモン電圧を供給する第３の工程とを有し、前記第１の工程は、前記複数のサブフレーム期間の中の前記１フレーム期間の最初のサブフレーム期間または前記１フレーム期間の最後のサブフレーム期間を含む連続したサブフレーム期間に点灯または非点灯のいずれか一方が集中するように前記デジタルコードを生成し、前記第３の工程では、前記１フレーム期間において、前記コモン電圧の反転動作を奇数回行うことを特徴とする。
このような特徴を有する電気光学装置の駆動方法によると、フリッカー及び表示劣化（焼き付き）の発生を抑制することができる。
【図面の簡単な説明】
【００１３】
【図１】本発明の一実施形態に係る液晶装置（電気光学装置）１００のブロック構成図である。
【図２】本実施形態に係る液晶装置１００における画素１１０に関する詳細説明図である。
【図３】本実施形態に係る液晶装置１００におけるデータ変換回路４００の詳細説明図である。
【図４】本実施形態に係る液晶装置１００におけるフレーム構成とデジタルコードＤsとの対応関係に関する説明図である。
【図５】本実施形態に係る液晶装置１００におけるデータ線駆動回路６００の詳細説明図である。
【図６】本実施形態に係る液晶装置１００の全体構成図である。
【図７】本実施形態に係る液晶装置１００の動作を示すタイミングチャートである。
【図８】本実施形態に係る液晶装置１００のコモン反転動作に関する説明図である。
【図９】本実施形態に係る液晶装置１００を適用した電子機器の一例たるプロジェクターの構成図である。
【図１０】本実施形態に係る液晶装置１００を適用した電子機器の一例たるパーソナルコンピューターの構成図である。
【図１１】本実施形態に係る液晶装置を適用した電子機器の一例たる携帯電話の構成図である。
【発明を実施するための形態】
【００１４】
以下、本発明の一実施形態について図面を参照しながら説明する。
図１は、本実施形態に係る電気光学装置を示すブロック構成図である。なお、本実施形態に係る電気光学装置として、素子基板と対向基板とが互いに一定の間隙を保って貼付され、この間隙に電気光学材料たる液晶が挟持された構成からなる液晶装置１００を例示して説明する。
【００１５】
なお、本実施形態に係る液晶装置１００は、交流駆動方式としてコモン反転駆動を採用し、階調表現方式としてデジタル時分割駆動（デジタルコードは左寄せコード）を採用している。また、液晶装置１００の表示モードはノーマリーホワイトであり、画素に電圧が加わった状態で黒表示（非点灯）、電圧が加わらない状態で白表示（点灯）を行なうものとして説明する。
【００１６】
このような液晶装置１００では、素子基板としてガラス基板などの透明基板が用いられ、
この素子基板上に画素を駆動するトランジスタと共に、周辺駆動回路などが形成されている。一方、素子基坂上における表示領域１０１ａには、ｍ本の走査線１１２及び保持容量線１１３がＸ方向に延在して形成され、ｎ本のデータ線１１４がＹ方向に沿って延在して形成されており、また、走査線１１２とデータ線１１４との各交差に対応して画素１１０がｍ行×ｎ列のマトリクス状に配列されている（ｍ、ｎは２以上の整数）。
【００１７】
図２に、画素１１０の具体的な構成の一例を示す。この図２に示すように、画素１１
０は、スイッチング手段としてのトランジスタ（ＭＯＳ型ＦＥＴ）１１６のゲートが走査線１１２に、ソースがデータ線１１４に、ドレインが画素電極１１８にそれぞれ接続されると共に、画素電極１１８と対向電極（共通電極）１０８との間に電気光学材料たる液晶１０５が挟持されて液晶層が形成された構成となっている。
【００１８】
ここで、対向電極１０８は、画素電極１１８と対向するように対向基板の全面に形成される透明電極である。また、画素電極１１８と保持容量線１１３との間においては保持容量１１９が形成されており、液晶層を挟む電極と共に電荷を補助的に蓄積する構成となっている。なお、対向電極１０８及び保持容量線１１３には、後述する駆動電圧生成回路３００からコモン電圧ＶＣＯＭが供給される。
【００１９】
各走査線１１２には、後述する走査線駆動回路５００からそれぞれ走査信号Ｇ１、Ｇ２、…、Ｇｍが供給される。各走査信号によって、各ラインの画素を構成するトランジスタ１１６が導通状態となり、これにより、後述するデータ線駆動回路６００から各データ線１１４に供給された表示データ信号ｄ１、ｄ２、…、ｄｎが画素電極１１８に供給され、液晶１０５及び保持容量１１９に書き込まれる。ここで、デジタル時分割駆動を採用しているため、表示データ信号ｄ１、ｄ２、…、ｄｎは、非点灯（黒）／点灯（白）に対応する２値電圧である。このように画素１１０に書き込まれた電圧、つまり画素電極１１８と対向電極１０８との電位差に応じて液晶１０５の分子集合の配向状態が変化して、照明光の変調が行われる。
【００２０】
以下、図１に戻って、本実施形態に係る液晶装置１００の電気的構成について説明する。図１において、本実施形態に係る液晶装置１００は、タイミング信号生成回路２００と、駆動電圧生成回路３００と、データ変換回路４００と、走査線駆動回路５００と、データ線駆動回路６００とを備えている。なお、上記の構成要素の内、タイミング信号生成回路２００及びデータ変換回路４００はデジタルコード生成手段に相当し、駆動電圧生成回路３００、走査線駆動回路５００及びデータ線駆動回路６００はデータ電圧供給手段に相当し、また、駆動電圧生成回路３００はコモン電圧供給手段に相当する。
【００２１】
タイミング信号生成回路２００は、上位制御装置（図示略）から供給される垂直同期信号Ｖｓ、水平同期信号Ｈｓ、ドットクロックＤＣＬＫ等のタイミング信号に従って、極性反転信号ＦＲ、走査スタートパルスＤＹ、走査側転送クロックＣＬＹ、データイネーブル信号ＥＮＢＸ、データ転送クロックＣＬＸ、データ転送スタートパルスＤＤＳ、サブフレーム識別信号ＳＦを生成する。
【００２２】
極性反転信号ＦＲは、画素１１０の書き込み電圧の極性反転周期を規定する信号（言い換えれば、コモン反転動作周期を規定する信号）であり、駆動電圧生成回路３００及びデータ変換回路４００に出力される。本実施形態では、１フレーム期間に奇数回（３回）極性が反転するように極性反転周期を決定する。つまり、極性反転信号ＦＲは、１フレーム期間に３回レベルが変化するパルス信号（１フレーム期間Ｔｆ×２／３の周期を有するパルス信号）である（後述の図７参照）。なお、本実施形態では、極性反転信号ＦＲがハイレベルの場合に正極性の電圧を画素１１０に書き込み、ローレベルの場合に負極性の電圧を画素１１０に書き込むものとして説明する。
【００２３】
走査スタートパルスＤＹは、各サブフレームの開始タイミングを規定するパルス信号であり、走査線駆動回路５００に出力される。走査側転送クロックＣＬＹは、走査側（Ｙ側）の走査速度を規定する信号（言い換えれば、走査信号Ｇ１、Ｇ２、…、Ｇｍの出力タイミングを規定する信号）であり、走査線駆動回路５００に出力される。データイネーブル信号ＥＮＢＸは、データ線駆動回路６００内にあるＸシフトレジスター６１０に蓄えられたデータを水平画素数分並列に出力させるタイミングを規定する信号であり、データ線駆動回路６００に出力される。
【００２４】
データ転送クロックＣＬＸは、データ転送用のクロック信号であり、データ変換回路４００及びデータ線駆動回路６００に出力される。データ転送スタートパルスＤＤＳは、データ変換回路４００からデータ線駆動回路６００ヘデータ転送を開始するタイミングを規定する信号であり、データ変換回路４００に出力される。サブフレーム識別信号ＳＦは、そのサブフレームが１フレーム期間中の何番目のサブフレームであるかを、データ変換回路４００に通知するための信号である。
【００２５】
駆動電圧生成回路３００は、走査信号Ｇ１、Ｇ２、…、Ｇｍの電圧ＶＧ（トランジスタ１１６のゲートオン電圧）を生成して走査線駆動回路５００に出力し、表示データ信号ｄ１、ｄ２、…、ｄｎの基準電圧Ｖ０、最大電圧ＶＤ１（正極性の場合の非点灯（黒）電圧）、最小電圧ＶＤ２（負極性の場合の非点灯（黒）電圧）を生成してデータ線駆動回路６００に出力し、また、コモン電圧ＶＣＯＭを生成して対向電極１０８及び保持容量線１１３に出力する。これら最大電圧ＶＤ１と最小電圧ＶＤ２は、基準電圧Ｖ０を中心として対称となるような値に設定されている。
【００２６】
さらに、この駆動電圧生成回路３００は、極性反転信号ＦＲのレベルに応じてコモン電圧ＶＣＯＭの極性を基準電圧Ｖ０を中心として反転させる機能（コモン反転駆動）を有している。つまり、極性反転信号ＦＲがハイレベル（正極性）の場合、コモン電圧ＶＣＯＭは基準電圧Ｖ０に対して負極側の値（最小値）となり、極性反転信号ＦＲがローレベル（負極性）の場合、コモン電圧ＶＣＯＭは基準電圧Ｖ０に対して正極側の値（最大値）となる。なお、コモン電圧ＶＣＯＭの最大値は表示データ信号の最大電圧ＶＤ１と等しく、コモン電圧ＶＣＯＭの最小値は表示データ信号の最小電圧ＶＤ２と等しくなるように設定されている。
【００２７】
図３は、データ変換回路４００の詳細構成図である。この図３に示すように、データ変換回路４００は、書込アドレス生成部４１０、読出アドレス生成部４２０、メモリコントローラー４３０、フレームメモリー４４０、４５０及びデータエンコーダー４６０から構成されている。
【００２８】
書込アドレス生成部４１０は、水平同期信号Ｈs、垂直同期信号Ｖｓ、ドットクロックＤＣＬＫにより、上位制御装置から送られてくる画像データの画面上での位置（つまり画素の位置）を特定し、その特定結果に基づいて画像データをフレームメモリー４４０、４５０に格納するための書込アドレスを生成してメモリコントローラー４３０に出力する。読出アドレス生成部４２０は、データ転送クロックＣＬＸ等のタイミング信号から画面上での表示位置を決定し、その決定結果に基づいて、書き込み時と同一のルールに則って、フレームメモリー４４０、４５０からデータを読み出すための読出アドレスを生成してメモリコントローラー４３０に出力する。
【００２９】
メモリコントローラー４３０は、上位制御装置から入力される画像データをフレームメモリー４４０、４５０に書き込み、また表示すべき画像データをフレームメモリー４４０、４５０から読み出すための制御を行う。つまり、メモリコントローラー４３０は、ドットクロックＤＣＬＫに同期して、書込アドレス生成部４１０で生成された書込アドレスに画像データの書き込みを行う一方、データ転送クロックＣＬＸに同期して、読出アドレス生成部４２０で生成された読出アドレスから画像データを読み出してデータエンコーダー４６０に出力する。
【００３０】
フレームメモリー４４０、４５０は、フレーム毎に書き込み用又は読み出し用として交互に切り替えて使用される画像データ記憶用のメモリーであり、それぞれ少なくとも１フレーム分の画像データを記憶可能な記憶容量を有している。
【００３１】
データエンコーダー４６０は、サブフレーム識別信号ＳＦに基づいて現在のサブフレームを識別し、メモリコントローラー４３０から入力される画像データを、現在のサブフレーム期間における画素１１０の点灯／非点灯を規定するデジタルコードＤｓに変換し、データ転送スタートパルスＤＤＳに同期してデータ線駆動回路６００に出力する。
【００３２】
図４は、本実施形態における１フレーム期間内のサブフレーム構成と、デジタルコードＤsとの時間的な対応関係を表すものである。この図４に示すように、１フレーム期間は複数（ｋ個）のサブフレームＳＦ１〜ＳＦｋに等分割されており、デジタルコードＤsは各サブフレームＳＦ１〜ＳＦｋのそれぞれに対応して非点灯（黒）又は点灯（白）を規定するｋ個のコード配列から成る。また、本実施形態では、このデジタルコードＤｓとして左寄せコードを採用しているため、非点灯（黒）を規定するコード（「１」）を左寄せで配列する（言い換えれば、最初のサブフレームＳＦ１を含む所定範囲のサブフレーム群に黒表示が集中するようにデジタルコードＤｓの配列を決定する）。
【００３３】
図１に戻って説明を続けると、走査線駆動回路５００は、走査スタートパルスＤＹから各サブフレームの開始タイミングを把握すると共に、走査側転送クロックＣＬＹに同期して、走査線１１２の各々に電圧ＶＧを有する走査信号Ｇ１、Ｇ２、Ｇ３、…、Ｇｍを順次出力する。
【００３４】
データ線駆動回路６００は、ある水平走査期間においてデジタルコードＤｓをデータ線１１４の本数に相当するｎ個順次ラッチした後、ラッチしたｎ 個のデジタルコードＤｓを、次の水平走査期間において表示データ信号ｄ１、ｄ２、ｄ３、…、ｄｎに変換し、それぞれに対応するデータ線１１４に一斉に出力するものである。図５に、データ線駆動回路６００の具体的な構成を示す。この図５に示すように、データ線駆動回路６００は、Ｘシフトレジスター６１０と、第１のラッチ回路６２０と、第２のラッチ回路６３０と、電圧選択回路６４０とから構成されている。
【００３５】
このうち、Ｘシフトレジスター６１０は、水平走査期間の最初に供給されるデータイネーブル信号ＥＮＢＸをデータ転送クロックＣＬＸにしたがって転送し、ラッチ信号Ｓ１、Ｓ２、Ｓ３、…、Ｓｎとして順次排他的に供給するものである。第１のラッチ回路６２０は、各データ線１１４の各々に対応するデジタルコードＤｓをラッチ信号Ｓ１、Ｓ２、Ｓ３、…、Ｓｎの立ち下がりにおいて順次ラッチするものである。第２のラッチ回路６３０は、第１のラッチ回路６２０によりラッチされたデジタルコードＤｓの各々をデータイネーブル信号ＥＮＢＸの立ち下がりにおいて一斉にラッチする。
【００３６】
電圧選択回路６４０は、第２のラッチ回路６３０でラッチされた各データ線１１４の各々に対応するデジタルコードＤｓの値と、極性反転信号ＦＲのレベルとに基づいて、各データ線１１４の各々に表示データ信号ｄ１、ｄ２、ｄ３、…、ｄｎとして出力すべきデータ電圧を選択する。つまり、電圧選択回路６４０は、デジタルコードＤｓが非点灯（黒）を規定するコード（「１」）であり、且つ極性反転信号ＦＲがハイレベル（正極性）であった場合、表示データ信号として出力すべきデータ電圧として最大電圧ＶＤ１を選択する。また、電圧選択回路６４０は、デジタルコードＤｓが非点灯（黒）を規定するコード（「１」）であり、且つ極性反転信号ＦＲがローレベル（負極性）であった場合、表示データ信号として出力すべきデータ電圧として最小電圧ＶＤ２を選択する。
【００３７】
一方、電圧選択回路６４０は、デジタルコードＤｓが点灯（白）を規定するコード（「０」）であり、且つ極性反転信号ＦＲがハイレベル（正極性）であった場合、表示データ信号として出力すべきデータ電圧として最小電圧ＶＤ２を選択する。また、電圧選択回路６４０は、デジタルコードＤｓが点灯（白）を規定するコード（「０」）であり、且つ極性反転信号ＦＲがローレベル（負極性）であった場合、表示データ信号として出力すべきデータ電圧として最大電圧ＶＤ１を選択する。
【００３８】
このような電圧選択回路６４０による表示データ信号として出力すべきデータ電圧の選択動作と、上述した駆動電圧生成回路３００によるコモン電圧反転動作とによって、極性反転信号ＦＲがハイレベルの期間（以下、この期間を＋フィールドと称す）では画素１１０に、コモン電圧ＶＣＯＭに対して正極性の電圧が書き込まれ、また、極性反転信号ＦＲがローレベルの期間（以下、この期間を−フィールドと称す）では画素１１０に、コモン電圧ＶＣＯＭに対して負極性の電圧が書き込まれることになる。
【００３９】
次に、液晶装置１００の全体構成について、図６を参照して説明する。ここで、図６（ａ）は、液晶装置１００の全体構成を示す平面図であり、図６（ｂ）は、図６（ａ）におけるＡ−Ａ’矢視断面図である。これらの図に示されるように、液晶装置１００は、画素電極１１８などが形成された素子基板１０１と、対向電極１０８などが形成された対向基板１０２とが、互いにシール材１０４によって一定の間隙を保って貼り合わせられるとともに、この間隙に電気光学材料としての液晶１０５が挟持された構造となっている。なお、実際には、シール材１０４には切欠部分があって、ここを介して液晶１０５が封入された後、封止材により封止されるが、これらの図においては省略されている。
【００４０】
対向電極１０２は、ガラス等から構成される透明な基板である。また、上述した説明では、素子基板１０１は透明基板からなると記載したが、反射型の液晶装置の場合は、半導体基板とすることもできる。この場合、半導体基板は不透明なので、画素電極１１８はアルミニウムなどの反射性金属で形成される。また、素子基板１０１において、シール材１０４の内側かつ表示領域１０１ａの外側領域には、遮光膜１０６が設けられている。この遮光膜１０６が形成される領域内のうち、領域１３０ａには走査線駆動回路５００が形成され、また、領域１４０ａにはデータ線駆動回路６００が形成されている。
【００４１】
すなわち、遮光膜１０６は、この領域に形成される駆動回路に光が入射するのを防止している。この遮光膜１０６には、対向電極１０８とともに、コモン電圧ＶＣＯＭが印加される構成となっている。また、素子基板１０１において、データ線駆動回路６００が形成される領域１４０ａ外側で、あって、シール材１０４を隔てた領域１０７には、複数の接続端子が形成されて、外部からの制御信号や電源などを入力する構成となっている。
【００４２】
一方、対向基板１０２の対向電極１０８は、基板貼合部分における４隅のうち、少なくとも１箇所において設けられた導通材（図示省略）によって、素子基板１０１における遮光膜１０６および接続端子と電気的な導通が図られている。すなわち、コモン電圧ＶＣＯＭは、素子基板１０１に設けられた接続端子を介して、遮光膜１０６に、さらに、導通材を介して対向電極１０８に、それぞれ印加される構成となっている。
【００４３】
ほかに、対向基板１０２には、液晶装置ＬＤの用途に応じて、例えば、直視型であれば、第１に、ストライプ状や、モザイク状、トライアングル状等に配列したカラーフィルターが設けられ、第２に、例えば、金属材料や樹脂などからなる遮光膜（ブラックマトリクス）が設けられる。なお、色光変調の用途の場合には、例えば、後述するプロジェクターのライトバルブとして用いる場合には、カラーフィルターは形成されない。また、直視型の場合、液晶装置１００に光を対向基板１０２側もしくは素子基板側から照射するライトが必要に応じて設けられる。
【００４４】
くわえて、素子基板１０１および対向基板１０２の電極形成面には、それぞれ所定の方向にラビング処理された配向膜（図示省略）などが設けられて、電圧無印加状態における液晶分子の配向方向を規定する一方、対向基板１０１の側には、配向方向に応じた偏光子（図示省略）が設けられる。ただし、液晶１０５として、高分子中に微小粒として分散させた高分子分散型液晶を用いれば、前述の配向膜や偏光子などが不要となる結果、光利用効率が高まるので、高輝度化や低消費電力化などの点において有利である。
【００４５】
次に、上記のように構成された本実施形態に係る液晶装置１００の動作について、図７のタイミングチャートを参照して説明する。
この図７に示すように、極性反転信号ＦＲは、１フレーム期間Ｔｆに３回レベルが変化するパルス信号（１フレーム期間Ｔｆ×２／３の周期を有するパルス信号）である。一方、走査スタートパルスＤＹは、各サブフレームＳＦ１〜ＳＦｋの開始時に供給される。ここで、１フレーム期間Ｔｆの開始タイミングである時刻ｔ１において、最初のサブフレームＳＦ１の開始タイミングを規定する走査スタートパルスＤＹが供給されると、走査線駆動回路５００から走査側転送クロックＣＬＹに同期して、走査信号Ｇ１、Ｇ２、Ｇ３、…、Ｇｍが垂直走査期間（１Ｖ）に順次出力される。
【００４６】
これら走査信号Ｇ１、Ｇ２、Ｇ３、…、Ｇｍは、それぞれ走査側転送クロックＣＬＹの半周期に相当するパルス幅を有し、また、上から数えて１本目（１行目）の走査線１１２に対応する走査信号Ｇ１は、走査スタートパルスＤＹが供給された後、走査側転送クロックＣＬＹが最初に立ち上がってから、少なくとも走査側転送クロックＣＬＹの半周期だけ遅延して出力される構成となっている。従って、走査スタートパルスＤＹが供給されてから、走査信号Ｇ１が出力されるまでに、データイネーブル信号ＥＮＢＸの最初の１クロック（Ｇ０）がデータ線駆動回路６００に供給されることになる。
【００４７】
まず、このデータイネーブル信号ＥＮＢＸの最初の１クロック（Ｇ０）が供給された場合について説明する。このデータイネーブル信号ＥＮＢＸの１クロック（Ｇ０）がデータ線駆動回路６００に供給されると、データ転送クロックＣＬＸに同期して、Ｘシフトレジスター６１０からラッチ信号Ｓ１、Ｓ２、Ｓ３、…、Ｓｎが水平走査期間（１Ｈ）に順次出力される。なお、ラッチ信号Ｓ１、Ｓ２、Ｓ３、…、Ｓｎは、それぞれデータ転送クロックＣＬＸの半周期に相当するパルス幅を有している。
【００４８】
この際、第１のラッチ回路６２０は、ラッチ信号Ｓ１の立ち下がりにおいて、上から数えて１本目（１行目）の走査線１１２と、左から数えて１本目（１列目）のデータ線１１４との交差に配置された画素１１０に対応するデジタルコードＤsをラッチし、次に、ラッチ信号Ｓ２の立ち下がりにおいて、１行目の走査線１１２と２列目のデータ線１１４との交差に配置された画素１１０に対応するデジタルコードＤsをラッチし、以下、同様に、１行目の走査線１１２とｎ列目のデータ線１１４との交差に配置された画素１１０に対応するデジタルコードＤsをラッチする。
【００４９】
これにより、まず、１行目の走査線１１２と接続された画素１行分のデジタルコードＤsが、第１のラッチ回路６２０により点順次的にラッチされることになる。なお、データ変換回路４００は、第１のラッチ回路６２０によるラッチのタイミングに合わせて、各画素に対応する画像データを、各サブフレームに対応するデジタルコードＤsに変換して順次出力することはいうまでもない。次に、走査側転送クロックＣＬＹが立ち下がって、走査信号Ｇ１が出力されると、１行目の走査線１１２が選択される結果、当該走査線１１２に接続された画素１１０のトランジスタ１１６が全てオンとなる。
【００５０】
一方、走査側転送クロックＣＬＹの立ち下がりタイミングで再びデータイネーブル信号ＥＮＢＸ（Ｇ１）が出力される。上記のように第１のラッチ回路６２０によって点順次的にラッチされたデジタルコードＤsは、データイネーブル信号ＥＮＢＸ（Ｇ１）の立ち上がりタイミングにおいて、第２のラッチ回路６３０によって一斉にラッチされる。
【００５１】
そして、電圧選択回路６４０は、第２のラッチ回路６３０で一斉にラッチされた各データ線１１４の各々に対応するデジタルコードＤｓの値と、極性反転信号ＦＲのレベルとに基づいて、各データ線１１４の各々に表示データ信号ｄ１、ｄ２、ｄ３、…、ｄｎとして出力すべきデータ電圧を選択する。例えば、サブフレームＳＦ１において極性反転信号ＦＲがハイレベル（＋フィールド）であり、且つデジタルコードＤｓが非点灯（黒）を規定するコード（「１」）であるとすると、表示データ信号として出力すべきデータ電圧として最大電圧ＶＤ１が選択される。なお、この時、駆動電圧生成回路３００によってコモン電圧ＶＣＯＭは基準電圧Ｖ０に対して負極側の値（最小値）に設定されている。
【００５２】
以上のような動作により、最初のサブフレームＳＦ１において、極性反転信号ＦＲで規定される極性に応じて、１行目の全画素１１０に対する表示データ信号ｄ１、ｄ２、ｄ３、…、ｄｎの書き込みが同時に行われることになる。この書き込みと並行して、上から２本目（２行目）の走査線１１２に接続された画素１行分のデジタルコードＤsが、第１のラッチ回路６２０により点順次的にラッチされる。そして、以降同様な動作が、ｍ行目の走査線１１２に対応する走査信号Ｇｍが出力されるまで繰り返される。
【００５３】
以上が１つのサブフレーム（ここではサブフレームＳＦ１）について行われる動作であり、表示領域１０１ａの全画素１１０に書き込まれた黒電圧（非点灯電圧）によって、サブフレームＳＦ１では黒画像が表示される。そして、このサブフレーム毎の動作が１フレーム分（すなわち、ここではサブフレームＳＦ１からサブフレームＳＦｋまで）繰り返されることで、１フレーム分の画像が表示される。ここで、本実施形態では左寄せコードを採用しているため、図４で示したように、時間軸上において最初のサブフレームＳＦ１から順に黒表示が行われることになる。
【００５４】
一方、図８（ａ）に、本実施形態に係る液晶装置１００のコモン反転動作、つまり１フレーム期間に奇数回（ここでは３回）実施されるコモン反転動作によって、１フレーム毎に現れる＋フィールド（画素１１０の書き込み電圧がコモン電圧ＶＣＯＭに対して正極性となる期間）と、−フィールド（画素１１０の書き込み電圧がコモン電圧ＶＣＯＭに対して負極性となる期間）との分布を示す。また、図８（ａ）と比較するために、図８（ｂ）に、従来のコモン反転動作（１フレーム期間にコモン反転動作を２回実施）によって、１フレーム毎に現れる＋フィールド及び−フィールドの分布を示す。
【００５５】
図８（ｂ）に示すように、従来のコモン反転動作によると、デジタルコードＤｓとして上記の左寄せコードを採用すると、＋フィールドに黒表示（非点灯電圧の書き込み）が偏り、−フィールドに白表示（点灯電圧の書き込み）が偏ることになる。このように、＋／−フィールドの一方に表示が偏ると、交流駆動が十分に行われていない状態となり、表示劣化（焼き付き）が発生しやすくなる。
【００５６】
一方、図８（ａ）に示すように、本実施形態に係る液晶装置１００のコモン反転動作によると、１フレーム期間において、＋フィールドと−フィールドとが交互に現れるため、＋フィールドに黒表示が偏るということはなくなる（最初の＋フィールドは黒表示に偏るが、次の＋フィールドは白表示となる）。つまり、本実施形態に係る液晶装置１００では、交流駆動が十分に行われており、表示劣化（焼き付き）の発生を抑制することができる。
【００５７】
以上のように、本実施形態に係る液晶装置１００によると、１フレーム期間に奇数回（３回）コモン反転動作を行うため、デジタル時分割駆動のデジタルコードとして左寄せコードを採用した場合であっても、フリッカー及び表示劣化（焼き付き）の発生を抑制することが可能である。
【００５８】
なお、上記実施形態では、１フレーム期間に実施するコモン反転動作を３回としたが、これに限らず、奇数回であれば５回以上であっても良い。このように、１フレーム期間においてコモン電圧の反転動作を５回以上行うことも可能であるが、その場合、コモン電圧（共通電極電圧）を高周波数で反転させることになるため、表示品質上、別の不具合が発生する虞がある。フリッカーの発生を抑制し、且つ表示劣化（焼き付き）の発生を抑制するという目的に対しては、１フレーム期間におけるコモン電圧の反転動作を３回とすることで十分に達成できる。
【００５９】
また、上記実施形態では、ノーマリーホワイトモードを採用した場合を想定して説明したが、ノーマリーブラックモードを採用した場合でも、白（点灯）を規定するコードを左から配列して左寄せコードとすることがあるため、１フレーム期間に実施するコモン反転動作を奇数回とすることにより、ノーマリーホワイトモードと同様にフリッカー及び表示劣化（焼き付き）の発生を抑制することが可能である。
【００６０】
さらに、上記実施形態では、左寄せコードを採用した場合を例示して説明したが、右寄席コード（最後のサブフレームＳＦｋを含む所定範囲のサブフレーム群に点灯または非点灯が集中するようにデジタルコードの配列を決定する）を採用した場合であっても、１フレーム期間に実施するコモン反転動作を奇数回とすることにより、左寄せコードと同様にフリッカー及び表示劣化（焼き付き）の発生を抑制することが可能である。
【００６１】
＜電子機器＞
次に、上記の液晶装置１００（電気光学装置）を備えた電子機器の例について説明する。
（１）プロジェクター
まず、本実施形態に係る液晶装置１００をライトバルブとして用いたプロジェクターについて説明する。図９は、このプロジェクターの構成を示す平面図である。この図９に示すように、プロジェクター１１００内部には、偏光照明装置１１１０がシステム光軸ＰＬに沿って配置している。この偏光照明装置１１１０において、ランプ１１１２からの出射光は、リフレクター１１１４による反射で略平行な光束となって、第１のインテグレーターレンズ１１２０に入射する。これにより、ランプ１１１２からの出射光は、複数の中間光束に分割される。この分割された中間光束は、第２のインテグレーターレンズを光入射側に有する偏光変換素子１１３０によって、偏光方向がほほ揃った一種類の偏光光束（ｓ偏光光束）に変換されて、偏光照明装置１１１０から出射されることとなる。
【００６２】
偏光照明装置１１１０から出射されたｓ偏光光束は、偏光ビームスプリッター１１４０のｓ偏光光束反射面１１４１によって反射される。この反射光束のうち、青色光（Ｂ）の光束がダイクロイックミラー１１５１の青色光反射層にて反射され、反射型の液晶装置１００Ｂによって変調される。また、ダイクロイックミラー１１５１の青色光反射層を透過した光束のうち、赤色光（Ｒ）の光束は、ダイクロイックミラー１１５２の赤色光反射層にて反射され、反射型の液晶装置１００Ｒによって変調される。一方、ダイクロイックミラー１１５１の青色光反射層を透過した光束のうち、緑色光（Ｇ）の光束は、ダイクロイックミラー１１５２の赤色光反射層を透過して、反射型の液晶装置１００Ｇによって変調される。
【００６３】
このようにして、液晶装置１００Ｒ、１００Ｇ、１００Ｂによってそれぞれ色光変調された赤色、緑色、青色の光は、ダイクロイックミラー１１５２、１１５１、偏光ビームスプリッター１１４０によって順次合成された後、投写光学系１１６０によって、スクリーン１１７０に投写されることとなる。なお、液晶装置１００Ｒ、１００Ｂおよび１００Ｇには、ダイクロイックミラー１１５１、１１５２によって、Ｒ、Ｇ、Ｂの各原色に対応する光束が入射するので、カラーフィルターは必要ない。なお、本実施形態においては、反射型の液晶装置を用いたが、透過型表示の液晶装置を用いたプロジェクターとしても構わない。
【００６４】
（２）モバイル型コンピューター
次に、上記液晶装置１００を、モバイル型のパーソナルコンピューターに適用した例について説明する。図１０は、このパーソナルコンピューターの構成を示す斜視図である。同図において、パーソナルコンピューター１２００は、キーボード１２０２を備えた本体部１２０４と、表示ユニット１２０６とから構成されている。この表示ユニット１２０６は、先に述べた液晶装置１００の前面にフロントライトを付加することにより構成されている。なお、この構成では、液晶装置１００を反射直視型として用いることになるので、画素電極１１８において、反射光が様々な方向に散乱するように、凹凸が形成される構成が望ましい。
【００６５】
（３）携帯電話
さらに、上記液晶装置１００を、携帯電話に適用した例について説明する。図１１は、この携帯電話の構成を示す斜視図である。同図において、携帯電話１３００は、複数の操作ボタン１３０２のほか、受話口１３０４、送話口１３０６とともに、液晶装置１００を備えるものである。この液晶装置１００にも、必要に応じてその前面にフロントライトが設けられる。また、この構成でも、液晶装置１００が反射直視型として用いられることになるので、画素電極１１８に凹凸が形成される構成が望ましい。
【００６６】
なお、電子機器としては、図９〜図１１を参照して説明した他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【符号の説明】
【００６７】
１００…液晶装置（電気光学装置）、１０１…素子基板、１０１ａ…表示領域、１０２…対向基板、１０５…液晶、１０８…対向電極、１１２…走査線、１１４…データ線、１１６…トランジスタ、１１８…画素電極、１１９…保持容量、２００…タイミング信号生成回路、３００…駆動電圧生成回路、４００…データ変換回路、５００…走査線駆動回路、６００…データ線駆動回路
【図１】
2010231005.tif 000003
【図２】
2010231005.tif 000004
【図３】
2010231005.tif 000005
【図４】
2010231005.tif 000006
【図５】
2010231005.tif 000007
【図６】
2010231005.tif 000008
【図７】
2010231005.tif 000009
【図８】
2010231005.tif 000010
【図９】
2010231005.tif 000011
【図１０】
2010231005.tif 000012
【図１１】
2010231005.tif 000013